(57)【特許請求の範囲】
【請求項１】
縦方向および横方向と、身体側およびその反対側である非身体側と、前ウエスト域、後ウエスト域および前記前ウエスト域と後ウエスト域との間に位置するクロッチ域と、前記前ウエスト域を形成する前ウエスト部材と、前記後ウエスト域を形成する後ウエスト部材と、前記クロッチ域を形成するクロッチ部材とを含み、前記前ウエスト部材および後ウエスト部材には、それぞれ、前記横方向に延びるとともに前記縦方向に離隔される複数本のウエスト弾性体が伸長状態で収縮可能に取り付けられている使い捨て着用物品において、
前記クロッチ部材は、前記横方向に延びるクロッチ前端縁およびクロッチ後端縁を有し、
前記クロッチ前端縁および前記クロッチ後端縁それぞれに沿って前記横方向に延びる第１接合部分によって、前記クロッチ部材を、前記前ウエスト部材および前記後ウエスト部材の前記非身体側に接合するとともに、
前記第１接合部分の前記横方向両側において前記縦方向へ延びる第２接合部分によって、前記クロッチ部材を、前記前ウエスト部材および前記後ウエスト部材の前記非身体側に接合し、
前記前ウエスト部材および前記後ウエスト部材のうち少なくとも一方は、前記縦方向に画成されていて前記横方向の伸張応力が異なる複数の弾性領域を有し、前記複数の弾性領域のうち前記伸張応力が最も高い高弾性領域に、前記第１接合部分が位置し、
前記第１接合部分および前記第２接合部分によって画成される非接合領域が、前記第２接合部分の間の前記横方向の中央に位置して前記クロッチ域に向かって開口し、
前記高弾性領域における前記縦方向の外側に前記第１接合部分を配置する一方、前記高弾性領域における前記縦方向の内側に前記非接合領域を配置することを特徴とする前記使い捨て着用物品。
【請求項２】
前記前ウエスト部材および前記後ウエスト部材はそれぞれ、前記縦方向に延びる一対の前ウエスト側縁および一対の後ウエスト側縁を有し、前記ウエスト弾性体は、前記一対の前ウエスト側縁の間または前記一対の後ウエスト側縁の間で横方向に連続している、請求項１に記載の使い捨て着用物品。
【請求項３】
前記高弾性領域は、着用された際の着用者の腰骨に相当する位置に存在する、請求項１または２に記載の使い捨て着用物品。
【請求項４】
前記前後ウエスト部材は、前記縦方向の外側において離隔して位置し前記横方向へ延びる前後外端縁をそれぞれ有し、前記縦方向の内側において離隔して位置し前記横方向へ延びる前後内端縁をそれぞれ有し、
前記複数の弾性域には、前記高弾性領域と、前記高弾性領域よりも前記横方向の伸張応力が低いウエスト弾性領域と、前記ウエスト弾性領域よりも前記横方向の伸張応力が低いレッグ弾性領域と、前記レッグ弾性領域よりも前記横方向の伸張応力が低い低弾性領域とが含まれ、
前記前後外端縁から前記前後内端縁へ向かって前記ウエスト弾性領域、前記低弾性領域、前記高弾性領域、前記レッグ弾性領域がそれぞれ隣接するように配置してある請求項１〜３のいずれか１項に記載の使い捨て着用物品。
【請求項５】
前記高弾性領域よりも前記縦方向外側に、前記横方向の前記伸張応力が前記高弾性領域よりも低いウエスト弾性領域を有する、請求項１〜３のいずれか１項に記載の使い捨て着用物品。
【請求項６】
前記高弾性領域よりも前記縦方向内側に、前記横方向の前記伸張応力が前記高弾性領域よりも低いレッグ弾性領域を有する、請求項１〜３，５のいずれか１項に記載の使い捨て着用物品。
【請求項７】
前記高弾性領域よりも前記縦方向内側に、前記横方向の前記伸張応力が前記ウエスト弾性領域よりも低いレッグ弾性領域を有する、請求項５に記載の使い捨て着用物品。
【請求項８】
前記高弾性領域と前記ウエスト弾性領域との間に、前記横方向の前記伸張応力が前記ウエスト弾性領域よりも低い低弾性領域を有する、請求項５に記載の使い捨て着用物品。
【請求項９】
前記高弾性領域と前記ウエスト弾性領域との間に、前記横方向の前記伸張応力が前記レッグ弾性領域よりも低い低弾性領域を有する、請求項７に記載の使い捨て着用物品。
【請求項１０】
前記クロッチ部材は、その両側に沿って延びるクロッチ弾性体を有し、前記クロッチ弾性体の取付領域に対応する位置に前記第２接合部分が形成される請求項１〜９のいずれか１項に記載の使い捨て着用物品。
【請求項１１】
前記クロッチ部材は、前記縦方向に延びる折曲線に沿ってクロッチ両側縁が前記横方向内側に折り畳まれ、折り畳まれた領域が前記前ウエスト部材および前記後ウエスト部材に対向するとともに、前記折り畳まれた領域に対応する位置に前記第２接合部分が形成される請求項１〜１０のいずれか１項に記載の使い捨て着用物品。
【請求項１２】
前記クロッチ部材の前記身体側には、前端縁および後端縁と両側縁とにより画成される吸液構造体が配置され、前記吸液構造体は、前記前端縁および前記後端縁がそれぞれ前記クロッチ前端縁および前記クロッチ後端縁よりも前記縦方向内側に位置し、前記両側縁が前記折曲線よりも前記横方向内側に位置する請求項１１記載の使い捨て着用物品。
【請求項１３】
前記前後ウエスト部材は、前記一対の前ウエスト側縁と前記一対の後ウエスト側縁とが互いに接合されることによって環状に形成される請求項１〜１２のいずれか１項に記載の使い捨て着用物品。
【請求項１４】
前記クロッチ部材の前記非身体側には、前記クロッチ前後端縁を覆いかつ少なくともその一部が前記低弾性領域に位置するカバーシートが接合される請求項４，８，９のいずれか１項に記載の使い捨て着用物品。
【発明の詳細な説明】
【技術分野】
【０００１】
この発明は、使い捨て着用物品に関し、より詳しくは、クロッチ部材が前後ウエスト部材の非身体側に接合された使い捨ておむつ、使い捨てのトイレット・トレーニングパンツ、使い捨て失禁パンツ、使い捨ての生理用パンツ等の使い捨て着用物品に関する。
【背景技術】
【０００２】
従来、着用者の身体の周囲方向に弾性部材を配して着用者の身体にフィットするように形成された使い捨ておむつは、公知である。例えば、特許文献１および特許文献２には、ウエスト開口周囲から股下域までの間を長手方向に分割した領域のそれぞれにおいて着用時の圧力が異なるパンツ型おむつが開示されている。
【先行技術文献】
【特許文献】
【０００３】
【特許文献１】特開平４−３６４８４５号公報（ＪＰ  ０４−３６４８４５  Ａ）
【特許文献２】特開２００６−６１６８１公報（ＪＰ  ２００６−６１６８１  Ａ）
【発明の概要】
【発明が解決しようとする課題】
【０００４】
特許文献１に記載のおむつは、トップシートとバックシートとの間に吸収体を配置することによって形成されていて、ウエスト開口周囲部、レッグ開口周囲部、および胴周囲部のそれぞれにおいて配された弾性部材の伸張応力が異なっている構成を有する。特許文献２に記載のおむつは、外包材によって吸収性本体を被覆していて、ウエスト開口部からレッグ開口部までの間を４等分したそれぞれの領域において着用時の圧力が異なっている構成を有する。
【０００５】
特許文献１および２に記載のおむつでは、吸収体の存在する領域において、弾性部材が横方向に連続せず吸収体をまたいで配されているか、または吸収体と重なって配されている。吸収体が弾性部材と重なっている場合、吸収体は弾性部材によって着用者の身体に押しつけられる。その結果、排泄物が着用者の身体に接触してかぶれを引き起こす恐れがある。また、弾性部材が吸収体をまたいで配されている場合、弾性部材が横方向に連続していないので、着用者の身体にフィットするための十分な伸張応力が得られず、排泄物の重みで着用者の身体からずり落ちる可能性がある。
【０００６】
この発明では、排泄物が着用者の身体に接触することによるかぶれを防止し、かつ着用者の身体からずり落ちない、使い捨て着用物品を提供することを課題とする。
【課題を解決するための手段】
【０００７】
この発明は、縦方向および横方向と、身体側およびその反対側である非身体側と、前後ウエスト域および前記前後ウエスト域間に位置するクロッチ域と、前記前後ウエスト域を形成する前後ウエスト部材と、前記クロッチ域を形成するとともに前記前後ウエスト部材に接合されたクロッチ部材とを含み、前記前ウエスト部材および後ウエスト部材には、それぞれ、前記横方向に延びるとともに前記縦方向に離隔される複数本のウエスト弾性体が伸長状態で収縮可能に取り付けられている使い捨て着用物品の改良にかかわる。
【０００８】
この発明は、前記使い捨て着用物品において、前記クロッチ部材は、前記横方向に延びるクロッチ前端縁およびクロッチ後端縁を有し、前記クロッチ前端縁および前記クロッチ後端縁それぞれに沿って前記横方向に延びる第１接合部分によって、前記クロッチ部材を、前記前ウエスト部材および前記後ウエスト部材の前記非身体側に接合するとともに、前記第１接合部分の前記横方向両側において前記縦方向へ延びる第２接合部分によって、前記クロッチ部材を、前記前ウエスト部材および前記後ウエスト部材の前記非身体側に接合し、前記前ウエスト部材および前記後ウエスト部材のうち少なくとも一方は、前記縦方向に画成されていて前記横方向の伸張応力が異なる複数の弾性領域を有し、前記複数の弾性領域のうち前記伸張応力が最も高い高弾性領域に、前記第１接合部分が位置し、前記第１接合部分および前記第２接合部分によって画成される非接合領域が、前記第２接合部分の間の前記横方向の中央に位置して前記クロッチ域に向かって開口し、前記高弾性領域における前記縦方向の外側に前記第１接合部分を配置する一方、前記高弾性領域における前記縦方向の内側に前記非接合領域を配置することを特徴とする。
【０００９】
この発明の実施態様のひとつにおいて、前記前ウエスト部材および前記後ウエスト部材はそれぞれ、前記縦方向に延びる一対の前ウエスト側縁および一対の後ウエスト側縁を有し、前記ウエスト弾性体は、前記一対の前ウエスト側縁の間または前記一対の後ウエスト側縁の間で横方向に連続している。
【００１０】
他の実施態様のひとつにおいて、前記前後ウエスト部材は、前記縦方向の外側において離隔して位置し前記横方向へ延びる前後外端縁をそれぞれ有し、前記縦方向の内側において離隔して位置し前記横方向へ延びる前後内端縁をそれぞれ有し、前記複数の弾性域には、前記高弾性領域と、前記高弾性領域よりも前記横方向の伸張応力が低いウエスト弾性領域と、前記ウエスト弾性領域よりも前記横方向の伸張応力が低いレッグ弾性領域と、前記レッグ弾性領域よりも前記横方向の伸張応力が低い低弾性領域とが含まれ、前記前後外端縁から前記前後内端縁へ向かって前記ウエスト弾性領域、前記低弾性領域、前記高弾性領域、前記レッグ弾性領域がそれぞれ隣接するように配置してある。
【００１１】
他の実施態様のひとつにおいて、前記高弾性領域は、着用された際の着用者の腰骨に相当する位置に存在する。
【００１２】
他の実施態様のひとつにおいて、前記使い捨て着用物品は、前記高弾性領域よりも前記縦方向外側に、前記横方向の前記伸張応力が前記高弾性領域よりも低いウエスト弾性領域を有する。
【００１３】
他の実施態様のひとつにおいて、前記使い捨て着用物品は、前記高弾性領域よりも前記縦方向内側に、前記横方向の前記伸張応力が前記高弾性領域よりも低いレッグ弾性領域を有する。
【００１４】
他の実施態様のひとつにおいて、前記使い捨て着用物品は、前記高弾性領域よりも前記縦方向内側に、前記横方向の前記伸張応力が前記ウエスト弾性領域よりも低いレッグ弾性領域を有する。
【００１５】
他の実施態様のひとつにおいて、前記使い捨て着用物品は、前記高弾性領域と前記ウエスト弾性領域との間に、前記横方向の前記伸張応力が前記ウエスト弾性領域よりも低い低弾性領域を有する。
【００１６】
他の実施態様のひとつにおいて、前記使い捨て着用物品は、前記高弾性領域と前記ウエスト弾性領域との間に、前記横方向の前記伸張応力が前記レッグ弾性領域よりも低い低弾性領域を有する。
【００１７】
他の実施態様のひとつにおいて、前記クロッチ部材は、その両側に沿って延びるクロッチ弾性体を有し、前記クロッチ弾性体の取付領域に対応する位置に前記第２接合部分が形成される。
【００１８】
他の実施態様のひとつにおいて、前記クロッチ部材は、前記縦方向に延びる折曲線に沿ってクロッチ両側縁が前記横方向内側に折り畳まれ、折り畳まれた領域が前記前ウエスト部材および前記後ウエスト部材に対向するとともに、前記折り畳まれた領域に対応する位置に前記第２接合部分が形成される。
【００１９】
他の実施態様のひとつにおいて、前記クロッチ部材の前記身体側には、前端縁および後端縁と両側縁とにより画成される吸液構造体が配置され、前記吸液構造体は、前記前端縁および前記後端縁がそれぞれ前記クロッチ前端縁および前記クロッチ後端縁よりも前記縦方向内側に位置し、前記両側縁が前記折曲線よりも前記横方向内側に位置する。
【００２０】
他の実施態様のひとつにおいて、前記前後ウエスト部材は、前記一対の前ウエスト側縁と前記一対の後ウエスト側縁とが互いに接合されることによって環状に形成される。
【００２１】
他の実施態様のひとつにおいて、前記クロッチ部材の前記非身体側には、前記クロッチ前後端縁を覆いかつ少なくともその一部が前記低弾性領域に位置するカバーシートが接合される。
【発明の効果】
【００２２】
この発明の特にそのひとつ以上の実施態様によれば、前後ウエスト部材の非身体側にクロッチ部材を接合することとし、また、前後ウエスト部材のうち少なくとも一方が、縦方向に画成されていて横方向の伸張応力が異なる複数の弾性領域を有し、この複数の弾性領域のうち横方向の伸張応力が最も高い高弾性領域に、第１接合部分が位置していることとした。このような構成により、クロッチ部材を前後ウエスト部材との接合部分において着用者の身体にしっかりと密着させることができる。このとき、クロッチ部材は前後ウエスト部材の非身体側に接合されているため、高弾性領域の伸張応力によってクロッチ部材が着用者の身体に押しつけられることがない。したがって、クロッチ部材を伝った排泄物が前後ウエスト域において着用者の肌に直接接触するのを防止して着用者のかぶれを防止することができる。
【図面の簡単な説明】
【００２３】
【図１】使い捨て着用物品の一実施形態であるおむつの斜視図。
【図２】図１のＩＩ−ＩＩ線断面図。
【図３】おむつの展開図。
【図４】図３のＩＶ−ＩＶ線端面図。
【図５】図３のＶ−Ｖ線端面図。
【図６】おむつの分解斜視図。
【発明を実施するための形態】
【００２４】
図１は、この発明に係る成人用の使い捨て着用物品の一例として示す、使い捨ておむつ１の斜視図、図２は図１のＩＩ−ＩＩ線断面図、図３はおむつ１の展開平面図であって身体側から見た図、図４は図３のＩＶ−ＩＶ線端面、図５は図３のＶ−Ｖ線端面図、図６はおむつ１の分解斜視図である。図３〜６において、各弾性要素は、その収縮力に抗して伸長させた状態で示している。おむつ１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。図面において、対称の部分の符号はその一方を一部省略している。
【００２５】
図１に示したように、おむつ１は、着用者の身体側およびその反対側である非身体側（着衣側）と、前ウエスト域２と、後ウエスト域３と、前後ウエスト域２，３間に位置するクロッチ域４とを有する。おむつ１は、前後ウエスト域２，３を形成する前後ウエスト部材２０，３０と、クロッチ域４を形成するクロッチ部材４０とを有する。前後ウエスト部材２０，３０は、それぞれ縦方向Ｙに離隔して位置し横方向Ｘに延びる前後外端縁２１，３１と、内側に位置し横方向Ｘに延びる前後内端縁２２，３２と、縦方向Ｙに延びる前後ウエスト両側縁２３，３３とを有する。前後ウエスト部材２０，３０の前後ウエスト両側縁２３，３３がシーム部５で互いに接合されることによって、前後ウエスト部材２０，３０が環状に保たれている。
【００２６】
図２，３に示したように、前後ウエスト部材２０，３０は、身体側に位置する前後ウエスト内面シート２４，３４と、その反対側である非身体側に位置する前後ウエスト外面シート２５，３５と、これらシートの間に取り付けられた複数本の前後ウエスト弾性体２６，３６とを有する。前後ウエスト内面シート２４，３４および前後ウエスト外面シート２５，３５は、単位面積当たりの質量が約１０〜３０ｇ／ｍ２の繊維不織布等を用いることができる。前後ウエスト弾性体２６，３６は、縦方向Ｙに離隔して、横方向Ｘに伸長状態で収縮可能に取り付けられ、前後ウエスト部材２０，３０を横方向Ｘに弾性化している。前後ウエスト弾性体２６，３６としては、ストランド状またはストリング状の弾性糸を用いることができる。前後ウエスト弾性体２６，３６は、図示しないホットメルト接着剤等によって前後ウエスト内外面シートの少なくともいずれかに接合されている。
【００２７】
前後ウエスト部材２０，３０には、縦方向に画成されていて横方向の伸張応力が異なる複数の弾性領域が形成されている。この実施形態では、前後外端縁２１，３１から前後内端縁２２，３２に向かって、ウエスト弾性領域８１、低弾性領域８２、高弾性領域８３、レッグ弾性領域８４がそれぞれ隣接して形成されている。
【００２８】
１つの好ましい実施形態において、前後ウエスト部材２０，３０それぞれには、前後外端縁２１，３１から縦方向に約５０ｍｍの幅を有するウエスト弾性領域８１に約９４０ｄｔｅｘの弾性糸が約８ｍｍ間隔で５本取り付けられ、約２５ｍｍの幅を有する低弾性領域８２に約７８０ｄｔｅｘの弾性糸が１本取り付けられ、約６５ｍｍの幅を有する高弾性域８３に約９４０ｄｔｅｘの弾性糸が約６ｍｍ間隔で９本取り付けられ、約３０ｍｍの幅を有するレッグ弾性域８４に約７８０ｄｔｅｘの弾性糸が約１５ｍｍ間隔で２本取り付けられている。
上記のように形成されることにより、本実施形態における各弾性領域８１〜８４における横方向の伸張応力は、高い方から順に、高弾性領域８３、ウエスト弾性領域８１、レッグ弾性領域８４、低弾性領域８２となっている。
【００２９】
クロッチ部材４０は、横方向Ｘに延びるクロッチ前後端縁４１，４２と、縦方向Ｙに延びるクロッチ両側縁４３とを有し、身体側に位置するクロッチ内面シート４４と、その反対側である非身体側に位置するクロッチ外面シート４５と、これらクロッチ内外面シート４４，４５の間に取り付けられた第１および第２クロッチ弾性体４６，４７とを有する。クロッチ内面シート４４は、不透液性かつ透湿性のプラスチックフィルムを用いることができ、クロッチ外面シート４５は、不透液性の繊維不織布を用いることができる。
【００３０】
クロッチ両側縁４３は、縦方向Ｙに延びる折曲線４８に沿って横方向Ｘ内側に折り返され、折曲領域４９においてはクロッチ内面シート４４が互いに対向するようにされている。また、折曲領域４９では、クロッチ前後端縁４１，４２の近傍で、クロッチ内面シート４４が図示しない接着剤等によって互いに接合されている。
【００３１】
第１および第２クロッチ弾性体４６，４７は、複数本のストランド状またはストリング状の弾性糸を用いることができ、縦方向Ｙに伸長状態で収縮可能に取り付けられ、クロッチ両側縁４３を縦方向Ｙに弾性化している。第１クロッチ弾性体４６は、クロッチ両側縁４３に沿って取り付けられている。第２クロッチ弾性体４７は、第１クロッチ弾性体４６よりも横方向Ｘ内側に取り付けられている。この実施形態では、第２クロッチ弾性体４７の一部は、その仮想横中心線Ｑ−Ｑの近傍において、クロッチ両側縁４３と折曲線４８との間に位置し、クロッチ前後端縁４１，４２近傍において、折曲線４８から横方法Ｘ内側へと延出されるように湾曲されている。第１および第２クロッチ弾性体４６，４７は、クロッチ内外面シート４４，４５の少なくともいずれか一方に、図示しないホットメルト接着剤等によって接合されている。
【００３２】
クロッチ部材４０の身体側には、吸液構造体５０が配置されている。吸液構造体５０は、吸液性の芯材と、芯材を覆う透液性の被覆シートとを有し、芯材として、フラッフパルプや高吸収性ポリマー粒子等を用いることができる。吸液構造体５０は、横方向Ｘに延びる吸液前後端縁５１，５２と、縦方向Ｙに延びる吸液両側縁５３とを有している。吸液構造体５０は、その吸液前後端縁５１，５２がクロッチ前後端縁４１，４２よりも縦方向Ｙの内側に位置し、吸液両側縁５３が折曲線４８よりも横方向Ｘの内側に位置するようにされている（図３および図４参照）。
【００３３】
吸液構造体５０は、クロッチ部材４０に対して図示しないホットメルト接着剤等の接合手段によって接合されている。吸液構造体５０は、折曲線４８の横方向Ｘ内側に位置するようにされているので、これがクロッチ域４で嵩張ることがない。また、第１および第２クロッチ弾性体４６，４７は、吸液構造体５０よりも横方向Ｘ外側に位置するように取り付けられ、これら弾性体によって弾性化されたクロッチ両側縁４３は、着用者の脚周りに密着し、尿等の排泄物が漏れるのを防止することができる。
【００３４】
クロッチ部材４０は、少なくともクロッチ前後端縁４１，４２が前後ウエスト部材２０，３０の非身体側にホットメルト接着剤等の接着手段によって接合される。具体的には、クロッチ部材４０と前後ウエスト外面シート２５，３５との間には、クロッチ前後端縁４１，４２に沿って横方向Ｘに延びる第１接合部分６１と、第１接合部分６１の横方向Ｘ両側において縦方向Ｙに延びる第２接合部分６２とが形成される。具体的には、第１接合部分６１は、クロッチ前後端縁４１，４２におけるクロッチ内面シート４４が前後ウエスト外面シート２５，３５に接合され、第２接合部分６２は、折曲領域４９のクロッチ外面シート４５が前後ウエスト外面シート２５，３５に接合されている。第２接合部分６２の縦方向Ｙの長さ寸法は、第１接合部分６１のそれよりも大きくされている。これら第１および第２接合部分６１，６２の間には、接着剤等が塗布されない非接合領域６３が形成される。非接合領域６３は、横方向Ｘのほぼ中央に画成され、これら第１および第２接合部分６１，６２および非接合領域６３によって、第１および第２接合部分６１，６２がクロッチ域４に向かって開口する凹を形成する。
【００３５】
上記のようなおむつにおいて、クロッチ部材４０を前後ウエスト部材２０，３０の非身体側に接合することとしたので、尿等の排泄物がクロッチ部材４０を伝って前後ウエスト部材２０，３０へと縦方向Ｙに移動したとしても、前後ウエスト部材２０，３０の身体側へと移動することがなく、排泄物が直接着用者の肌に接触することによるかぶれを防止することができる。また、クロッチ部材４０は、第１接合部分６１および第２接合部分６２によって接合され、非接合領域６３によってクロッチ域４へと開口するポケットが形成される。詳細には、非接合領域６３を画成するクロッチ部材４０のクロッチ両側縁４３と、クロッチ側縁４３の間に位置する前後ウエスト部材２０，３０の前後内端縁２２，３２近傍、およびクロッチ前後端縁４１，４２近傍によってポケットが形成される。このようにポケットが形成されることによって、クロッチ部材４０を縦方向Ｙ移動した排泄物を保持することができ、前後ウエスト部材２０，３０側へと流れるのを防止することができる。
【００３６】
第１接合部分６１は、前後ウエスト部材２０，３０において、高弾性領域８３に位置している。したがって、高弾性領域８３の横方向の伸張応力によって第１接合部分６１におけるクロッチ部材４０と前後ウエスト部材２０，３０との接合が支えられる。このような構成により、クロッチ域４が着用者の排泄物によって重みを増しても、その重みによって前後ウエスト部材２０，３０が着用者の身体からずり落ちることがない。
【００３７】
本実施形態において、高弾性領域８３は、前後外端縁２１，３１から約７５ｍｍ〜約１４０ｍｍの範囲内にある。これは、この実施形態にかかるおむつ１を成人が着用した場合におよそ腰骨の位置に相当する。したがって、この位置に高い伸張応力がかかっても着用者に与える不快感が少ない。
【００３８】
また、高弾性領域８３よりも前後外端縁２１，３１寄りに位置する低弾性領域８２は、前後ウエスト弾性体２６，３６の配されていない領域が大きいため、おむつ１の着用時に前後ウエスト部材２０，３０を掴む際に指が弾性糸に引っかかりやすく、おむつ１の引き上げや引き下げを容易におこなうことができる。クロッチ部材４０は、クロッチ前後端縁４１，４２が低弾性領域８２よりもクロッチ域４側に位置する高弾性領域８３に相当する位置に取り付けられているから、クロッチ部材４０によって、低弾性領域８２の剛性が大きくなり、指が入れ難くなるということがない。
【００３９】
前後ウエスト部材２０，３０のレッグ弾性域８４では、前後ウエスト弾性体２６，３６の離隔寸法が大きい。したがって、比較的その収縮力が小さく、おむつ１の着用状態においては、横方向Ｘに伸縮しやすい。したがって、前後内端縁２２，３２近傍に形成されたポケットをより大きく横方向Ｘに広げることができる。また、レッグ弾性域８４に位置する前後ウエスト弾性体２６，３６と、クロッチ弾性体４６とによって、着用者の脚付け根をほぼ環状に囲み、おむつ１のレッグ開口を着用者に密着させることができる。このとき、着用者の脚を過度に締め付けることなく、密着させ、尿等の排泄物の漏れを防止することができる。
【００４０】
クロッチ部材４０は、折曲線４８によって横方向Ｘに折り曲げられ、折曲領域４９が前後ウエスト部材２０，３０に接合されるとともに、折曲領域４９に第１および第２クロッチ弾性体４６，４７を取り付けることとしたので、クロッチ両側縁４３を着用者の身体に密着させることができる。また、折曲線４８の間に吸液構造体５０を配置しているので、吸液構造体５０を着用者の身体から離すことができる。したがって、吸液構造体５０に排泄された排泄物と着用者の肌とが直接接触することによるかぶれを防止し、かつ、脚周りからの排泄物の漏れを防止することができる。
【００４１】
おむつ１には、図１〜６に示すように、前後ウエスト部材２０，３０に接合されたクロッチ部材４０の非身体側には、クロッチ前後端縁４１，４２を覆うカバーシート７０が取り付けられていてもよい。カバーシート７０としては、単位面積当たりの質量が約１０〜３０ｇ／ｍ２の繊維不織布等を用いることができる。カバーシート７０は、横方向Ｘに延びるカバー外内端縁７１，７２と、縦方向Ｙに延びるカバー両側縁７３とを有し、カバー両側縁７３は、前後ウエスト内外面シート２４，２５，３４，３５とともに、シーム部５で互いに接合されている。
【００４２】
カバーシート７０は、少なくとも前後ウエスト部材２０，３０の低弾性領域８２に重なるように取り付けられている。この実施形態では、カバー外端縁７１がウエスト弾性領域８１に位置して前後ウエスト外面シート２５，３５に直接接合され、カバー内端縁７２が高弾性領域８３に位置して、その中央ではクロッチ部材４０に接合され、その横方向Ｘ外側では前後ウエスト外面シート２５，３５に接合されている。カバーシート７０は、そのほぼ全域に塗布された図示しないホットメルト接着剤によって各領域に接合されている。
【００４３】
前後ウエスト部材２０，３０の非身体側に取り付けられたクロッチ部材４０のクロッチ前後端縁４１，４２にこれを覆うカバーシート７０が取り付けられていることにより、クロッチ前後端縁４１，４２に着用者の手足や衣類が引っかかるのを防止し、この引っかかりによってクロッチ部材４０が前後ウエスト部材２０，３０から外れてしまうのを防止することができる。また、おむつ１の着用時に、クロッチ部材４０に着用者の足が引っかかり、クロッチ部材４０が前後ウエスト部材２０，３０から離れるように引っ張られることがあるが、クロッチ部材４０は、第１および第２接合部分６１，６２だけでなくカバーシート７０によっても前後ウエスト部材２０，３０に接合されているから、前後ウエスト部材２０，３０から外れるのを防止することができる。特に第１および第２接合部分６１，６２は、その中央で非接合領域６３を形成しているから、これを形成しない場合に比べて、クロッチ部材４０の接合力は小さくなるが、カバーシート７０を取り付けることによって、クロッチ部材４０が前後ウエスト部材２０，３０から外れないようにすることができる。また、前後ウエスト部材２０，３０の低弾性領域８２において、弾性糸に指を引っかけるようにして、おむつ１を引き下げたり、引き上げたりする際に、前後ウエスト部材２０，３０の強度が小さいと、これが破れてしまう可能性がある。しかし、低弾性領域８２に重なるようにカバーシート７０が取り付けられている場合、前後ウエスト部材２０，３０が破れるのを防ぐことができる。
【００４４】
上述のように形成したおむつの各弾性領域の横方向の伸張応力を測定して比較した結果を、以下に示す。測定は、島津製作所製のインストロンを使用して、以下の手順により行った。
まず、おむつ１と同じ構成で形成されたおむつを、各弾性領域に切り分けた。具体的には、前後外端縁２１，３１と平行に、前後外端縁２１，３１から縦方向に５０ｍｍまで、５０ｍｍから７５ｍｍまで、７５ｍｍから１４０ｍｍまで、１４０ｍｍから１７０ｍｍまでの領域をそれぞれ切り出した。ウエスト弾性領域８１、低弾性領域８２、高弾性域８３およびレッグ弾性域８４に相当するこれらをそれぞれ、サンプルＡ，Ｂ，Ｃ，Ｄとした。サンプルＡは、約９４０ｄｔｅｘの弾性糸を５本含み、サンプルＢは、約７８０ｄｔｅｘの弾性糸を１本含み、サンプルＣは、約９４０ｄｔｅｘの弾性糸を９本含み、サンプルＤは、約７８０ｄｔｅｘの弾性糸を２本含む。各サンプルは、前後ウエスト部材２０，３０だけでなく、それぞれの位置に配されたクロッチ部材４０およびカバーシート７０をも含んでおり、シーム部５で互いに接合されることによって、環状に保たれている。
上治具の上側および下治具の下側がサメ肌状になっている固定式長治具を上下に１８０ｍｍ離し、これに、各サンプルＡ〜Ｄを、シーム部５の片側が上治具の上に反対側が下治具の下になるように、環状のサンプルの内側に治具をはめることによって固定した。
次いで、この治具を速度３００ｍｍ／ｍｉｎで動かし、チャック間が４６０ｍｍになるまで離して、動きを反転し、チャック間が１８０ｍｍになるまで接近させた後、再び動きを反転してチャック間が４６０ｍｍになるまで離した時点の伸張応力を測定した。
【００４５】
上記の測定の結果、サンプルＡ〜Ｄの伸張応力は、それぞれ、２．５Ｎ、０．９Ｎ、３．５Ｎ、１．８Ｎであり、サンプルＣ＞Ａ＞Ｄ＞Ｂの関係を有した。
従って、おむつ１の有する横方向の伸長応力は、高弾性領域８３＞ウエスト弾性領域８１＞レッグ弾性領域８４＞低弾性領域８２の関係を有することがわかった。高弾性領域８３は、着用者の腰骨の位置に相当するため、おむつ１は、腰骨の位置における伸張応力が高く、ウエスト開口付近の伸張応力が低くなっている。上記のような構成により、本発明のおむつ１は、着用者に快適な履き心地を提供することができる。
【００４６】
また、ウエスト弾性領域、低弾性領域、高弾性領域およびレッグ弾性領域は、本実施形態と異なる寸法を有していてもよい。高弾性領域が着用者の腰骨に相当する位置に存在し、クロッチ部材が高弾性領域において前後ウエスト弾性部材に接合されている限り、他の弾性領域の１つまたは２つを有さないおむつもまた、実施可能である。さらに、おむつ１は、前後ウエスト域において縦方向に対称に形成されているが、クロッチ部材との接合の位置および各弾性領域の寸法が、前ウエスト域と後ウエスト域とで異なっていてもよい。また、カバーシートを有さないおむつも実施可能である。
【００４７】
前後ウエスト部材２０，３０に取り付けられた前後ウエスト弾性体２６，３６の本数および弾性体どうしの間隔は、適宜変更可能であり、また、前ウエスト域と後ウエスト域とで異なっていてもよい。おむつ１において、前後ウエスト弾性体２６，３６としてストランド状またはストリング状の弾性糸が用いられているが、帯状、シート状などの弾性部材もまた、本発明の弾性体として使用され得る。
【００４８】
おむつ１を構成する各構成部材には、この明細書に記載されている材料のほかに、この種の分野において通常用いられている、各種の公知の材料を制限なく用いることができる。また、この発明の明細書において、用語「第１」および「第２」は、同様の要素、位置等を単に区別するために用いられている。
【符号の説明】
【００４９】
１    おむつ（使い捨て着用物品）
２    前ウエスト域
３    後ウエスト域
４    クロッチ域
２０    前ウエスト部材
２３    前ウエスト側縁
３０    後ウエスト部材
３３    後ウエスト側縁
２６    前ウエスト弾性体（ウエスト弾性体）
３６    後ウエスト弾性体（ウエスト弾性体）
４０    クロッチ部材
４１    クロッチ前端縁
４２    クロッチ後端縁
４３    クロッチ両側縁
４６    第１クロッチ弾性体
４７    第２クロッチ弾性体
４８    折曲線
５０    吸液構造体
５１    吸液前端縁
５２    吸液後端縁
５３    吸液両側縁
６１    第１接合部分
６２    第２接合部分
６３    非接合領域
７０    カバーシート
７１    カバー外端縁
７２    カバー内端縁
８１    ウエスト弾性領域
８２    低弾性領域
８３    高弾性領域
８４    レッグ弾性領域
Ｘ    横方向
Ｙ    縦方向
【図１】
0005665433.tif 000002
【図２】
0005665433.tif 000003
【図３】
0005665433.tif 000004
【図４】
0005665433.tif 000005
【図５】
0005665433.tif 000006
【図６】
0005665433.tif 000007